(57)【要約】【課題】液晶素子に対して色順次走査をしたときに液晶に直流が印加されることを防ぐ。【解決手段】液晶表示パネルにおいて、書き込まれた電圧に応じた透過率となる液晶素子がマトリクス状に配列する。液晶素子は、それぞれ画素電極およびコモン電極を含む。フレーム期間は、Ｒ・Ｇ・Ｂフィールド期間に３分割され、各フィールド期間において液晶素子に原色成分の電圧が書き込まれ、この後、対応する色の光が液晶素子に入射する。液晶素子への電圧書きこみは、画素電極にデータ信号を印加することによってなさられるが、このデータ信号の電圧は、基準電圧に対して高位側または低位側のいずれかに、所定の周期で切り替えられる。コモン電極に供給される信号ＬＣcomの電圧は、各フィールド期間に対応する色毎に予め定められた最適電圧に切り替えられる。【選択図】図４
2010176059.tif 000002
【特許請求の範囲】
【請求項１】
走査線とデータ線との交点に対応して設けられたスイッチングトランジスターおよび画
素電極と、該画素電極と対向するコモン電極と、該画素電極と該対向電極との間に挟持さ
れた液晶と、を有する液晶素子を複数備え、
前記走査線が選択されたときに、前記データ線に供給されたデータ信号が前記スイッチ
ングトランジスターを介して前記画素電極に供給され、
フレーム期間は、互いに異なる色に対応する複数のフィールド期間を有する液晶表示装
置であって、
前記フィールド期間の各々において複数の前記走査線を所定の順番で選択する走査線駆
動回路と、
前記データ信号を前記画素電極に供給するとともに、前記データ信号の電圧を、予め定
められた基準電圧に対して高位側または低位側のいずれかに所定の周期で切り替えるデー
タ線駆動回路と、
前記フィールド期間の少なくとも一部で、当該フィールド期間に対応する色の光を複数
の前記液晶素子に照射する光源と、
前記フィールド期間の各々において、当該フィールド期間に対応する色に対して予め設
定された電圧を前記コモン電極に印加するコモン電極駆動回路と、
を具備することを特徴とする液晶表示装置。
【請求項２】
前記コモン電極駆動回路は、複数の前記色のうち第１の色の光のみを前記液晶素子に入
射させた場合にフリッカーが最小となる電圧を、該第１の色に対応するフィールド期間に
おいて前記コモン電極に印加する
ことを特徴とする請求項１に記載の液晶表示装置。
【請求項３】
前記コモン電極駆動回路は、前記フィールド期間において前記複数の走査線が選択され
た後に、前記コモン電極に印加する電圧を切り替える
ことを特徴とする請求項１または２に記載の液晶表示装置。
【請求項４】
走査線とデータ線との交点に対応して設けられたスイッチングトランジスターおよび画
素電極と、該画素電極と対向するコモン電極と、該画素電極と該対向電極との間に挟持さ
れた液晶と、を有する液晶素子を複数備え、
前記走査線が選択されたときに、前記データ線に供給されたデータ信号が前記スイッチ
ングトランジスターを介して前記画素電極に供給され、
フレーム期間は、互いに異なる色に対応する複数のフィールド期間を有する液晶表示装
置の駆動方法であって、
前記フィールド期間の各々において複数の前記走査線を所定の順番で選択し、
前記データ信号を前記画素電極に供給するとともに、前記データ信号の電圧を、予め定
められた基準電圧に対して高位側または低位側のいずれかに所定の周期で切り替え、
前記フィールド期間の少なくとも一部で、当該フィールド期間に対応する色の光を複数
の前記液晶素子に照射し、
前記フィールド期間の各々において、当該フィールド期間に対応する色に対して予め設
定された電圧を前記コモン電極に印加する
ことを特徴とする液晶表示装置の駆動方法。
【請求項５】
請求項１乃至３のいずれかに記載の液晶表示装置を有する電子機器。
【発明の詳細な説明】
【技術分野】
【０００１】
本発明は、いわゆる色順次走査の液晶表示装置の駆動技術に関する。
【背景技術】
【０００２】
一般に、色順次走査では、１コマのカラー画像を形成するためのフレーム期間を、例え
ば赤（Ｒ）、緑（Ｇ）、青（Ｂ）の３つの原色に対応するフィールド期間に分割するとと
もに、各フィールド期間において、原色成分の階調（明るさ）に応じた情報（例えば電圧
）を表示パネルの画素に書き込んで、当該原色の光を表示パネルに照射する構成となって
いる（特許文献１参照）。このような色順次走査では、表示素子にカラーフィルター等を
設けなくて済むほか、１画素をＲ、Ｇ、Ｂのサブ画素に分割しなくて済むので、高精細化
が容易となる。
【０００３】
ところで、画素として液晶素子を用いる構成では、詳細には、画素電極およびコモン電
極（共通電極）間の電界に応じて透過率（または反射率）を変化させる液晶素子を用いる
構成では、液晶に直流成分が印加されるのを防止するため、画素電極に印加する電圧を、
コモン電極に近い基準電圧に対して高位側の正極性と低位側の負極性とで交互に切り替え
る交流駆動が行われる。ただし、単純に交流駆動するだけでは、液晶に直流成分が印加さ
れることがあるので、例えば１フレーム期間における映像信号に応じてコモン電極の電位
を設定する技術が提案されている（特許文献２参照）。
【先行技術文献】
【特許文献】
【０００４】
【特許文献１】特開平１１−２３７６０６号公報（段落００４３、図１０）
【特許文献２】特開２０００−２６７６１８号公報（段落００１６、図１）
【発明の概要】
【発明が解決しようとする課題】
【０００５】
しかしながら、液晶素子に対して色順次走査をすると、別の理由で液晶に直流が印加さ
れてしまうという不都合が生じた。
本発明は上述した事情に鑑みてなされたもので、その目的の一つは、画素に液晶素子を
用いて色順次走査をする場合であっても、液晶に直流成分が印加されるのを回避する技術
を提供することにある。
【課題を解決するための手段】
【０００６】
色順次走査において液晶に直流が印加される原因の一つは、液晶素子に入射する光の波
長によって液晶の配向性が変化するためである、と考えられる。そこで、本発明に係る液
晶表示装置は、走査線とデータ線との交点に対応して設けられたスイッチングトランジス
ターおよび画素電極と、該画素電極と対向するコモン電極と、該画素電極と該対向電極と
の間に挟持された液晶と、を有する液晶素子を複数備え、前記走査線が選択されたときに
、前記データ線に供給されたデータ信号が前記スイッチングトランジスターを介して前記
画素電極に供給され、フレーム期間は、互いに異なる色に対応する複数のフィールド期間
を有する液晶表示装置であって、前記フィールド期間の各々において複数の前記走査線を
所定の順番で選択する走査線駆動回路と、前記データ信号を前記画素電極に供給するとと
もに、前記データ信号の電圧を、予め定められた基準電圧に対して高位側または低位側の
いずれかに所定の周期で切り替えるデータ線駆動回路と、前記フィールド期間の少なくと
も一部で、当該フィールド期間に対応する色の光を複数の前記液晶素子に照射する光源と
、前記フィールド期間の各々において、当該フィールド期間に対応する色に対して予め設
定された電圧を前記コモン電極に印加するコモン電極駆動回路と、を具備することを特徴
とする。本発明によれば、コモン電極に対し、フィールド期間毎に予め設定された電圧が
印加されるので、フィールド期間において液晶素子に入射する光の色（波長）に応じて配
向性が変化したときの影響を減殺することができる。このため、色順次走査をする際に、
液晶に直流成分が印加されるのを回避することが可能となる。
【０００７】
本発明において、前記コモン電極駆動回路は、複数の前記色のうち第１の色の光のみを
前記液晶素子に入射させた場合にフリッカーが最小となる電圧を、該第１の色に対応する
フィールド期間において前記コモン電極に印加する構成が好ましい。この構成により、液
晶素子に入射する光の色（波長）に対して最適な電圧を、フィールド期間に印加すること
が可能となる。
また、前記コモン電極駆動回路は、前記フィールド期間において前記複数の走査線が選
択された後に、前記コモン電極に印加する電圧を切り替える構成としても良い。この構成
によれば、コモン電極の電圧切り替えは、液晶素子への電圧書き込みに影響を及ぼさない
ようにすることが可能となる。
なお、本発明は、液晶表示装置のみならず、当該液晶表示装置の駆動方法や当該液晶表
示装置を有する電子機器としても概念することが可能である。
【図面の簡単な説明】
【０００８】
【図１】実施形態に係る液晶表示装置を適用したプロジェクターの構成を示す図である。
【図２】同液晶表示装置の構成を示すブロック図である。
【図３】同液晶表示装置における画素の等価回路を示す図である。
【図４】同液晶表示装置の動作を示すタイミングチャートである。
【発明を実施するための形態】
【０００９】
以下、本発明を実施するための形態について説明する。
図１は、本発明の実施形態に係る液晶表示装置を適用したプロジェクター１の光学的な
構成を示す平面図である。
この図において、ＬＥＤ１１Ｒは、ダイクロイックプリズム１３の中心からみて１２時
の方向に位置し、図において下方に向けてＲ（赤）の光を放つ発光ダイオードである。Ｌ
ＥＤ１１Ｒにより放たれたＲの光は、コリメーターレンズ１２Ｒによって、ほぼ平行な光
束となる。同様に、ＬＥＤ１１Ｇ、１１Ｂは、それぞれ９時、６時の方向に位置し、図に
おいて右方、上方に向けてＧ（緑）、Ｂ（青）の光を放つ発光ダイオードである。ＬＥＤ
１１Ｇ、１１Ｂにより放たれたＧ、Ｂの光についても、それぞれコリメーターレンズ１２
Ｇ、１２Ｂによって、ほぼ平行な光束となる。
【００１０】
ダイクロイックプリズム１３は、互いに直交するダイクロイック面１３Ｒ、１３Ｂを有
する。このうち、ダイクロイック面１３Ｒは、１２時の方向から入射したＲ光を反射して
３時の方向に出射し、ダイクロイック面１３Ｂは、６時の方向から入射したＢ光を反射し
て３時の方向に出射する。一方、９時の方向から入射したＧ光は、ダイクロイック面１３
Ｒ、１３Ｂを透過し、そのまま３時の方向に出射する。
【００１１】
ダイクロイックプリズム１３の出射面には、液晶表示パネル１００が配置する。この液
晶表示パネル１００は、本実施形態では、アクティブマトリクス型の透過型であり、複数
の画素を有する。投射レンズ群１４は、液晶表示パネル１００によって透過率が画素毎に
変調された透過像をスクリーン２００に拡大投射する光学系である。
詳細については後述するように、１フレーム期間は、Ｒ、Ｇ、Ｂのフィールド期間に分
割されるとともに、各フィールド期間において、各画素に原色成分の階調に応じた電圧が
書き込まれ、この後に、当該原色のＬＥＤを発光させる動作が、Ｒ、Ｇ、Ｂの順で繰り返
される。このため、Ｒ、Ｇ、Ｂの各原色画像が順次表示されるので、人間には、これらの
原色画像が重なってフルカラー画像として視覚されることになる。
【００１２】
次に、プロジェクター１において根幹をなす液晶表示装置１０について説明する。図２
は、液晶表示装置１０の電気的な構成を示すブロックである。
この図に示されるように、液晶表示装置１０は、光源１１、制御回路２０、フレームメ
モリー３０、光源駆動回路４０、コモン電極駆動回路５０および液晶表示パネル１００に
より構成される。
この液晶表示装置１０には、映像データＶdが図示省略した上位装置から同期信号Ｓync
にしたがって供給される。詳細には、映像データＶdは、表示すべき画像の各画素におけ
るＲＧＢの色成分の明るさ（階調）をそれぞれ指定するデジタルデータであり、同期信号
Ｓyncに含まれる垂直走査信号、水平走査信号およびドットクロック信号（いずれも図示
省略）にしたがった走査の順で画素毎に供給される。
【００１３】
制御回路２０は、上記同期信号Ｓyncに基づいて各部を制御する。例えば、制御回路２
０は、同期信号Ｓyncにしたがったレートで供給される映像データＶdを一旦フレームメモ
リー３０に記憶した後、各フィールド期間にて対応色成分のデータだけを当該フレームメ
モリー３０から読み出し、映像データＶsとして出力させる。
光源駆動回路４０は、光源１１を構成するＬＥＤ１１Ｒ、１１Ｇ、１１Ｂの各々を、そ
れぞれ制御回路２０による指示にしたがって駆動（点灯）させるものである。
コモン電極駆動回路５０は、液晶表示パネル１００におけるコモン電極１０８に対して
信号ＬＣcomを供給するものである。ここで、本実施形態において信号ＬＣcomの電圧は、
制御回路２０による指示にしたがって後述する電圧に切り替えられる。
【００１４】
液晶表示パネル１００は、例えば４８０行の走査線１１２が図において横方向に延在し
、また、６４０列のデータ線１１４が図において縦方向に延在し、かつ、各走査線１１２
と互いに電気的に絶縁を保つように設けられるとともに、これらの走査線１１２とデータ
線１１４との交点のそれぞれに対応して、画素１１０がそれぞれ配設されている。したが
って、本実施形態において、画素１１０は、縦４８０行×横６４０列のマトリクス状に配
列することになる。ここで、画素１１０の配列領域が表示領域１００ａである。
なお、便宜的に走査線１１２を区別するために、以下の説明では図において上から順に
１、２、３、…、４８０行目という呼び方をする場合がある。同様に、データ線１１４を
区別するために、図において左から順に１、２、３、…、６４０列目という呼び方をする
場合がある。
【００１５】
走査線駆動回路１３０は、制御回路２０による制御にしたがって１、２、３、…、４８
０行目の走査線１１２に、走査信号Ｇ1、Ｇ2、Ｇ3、…、Ｇ480を供給するものである。本
実施形態においては、図４に示されるように、１フレーム期間が、Ｒ、Ｇ、Ｂの３つのフ
ィールド期間に分割されるとともに、各フィールド期間において、それぞれ走査信号Ｇ1
、Ｇ2、Ｇ3、…、Ｇ480が、この順番で排他的にＨレベルに相当する選択電圧となるよう
に制御される。
【００１６】
なお、フレーム期間とは、液晶表示パネル１００を駆動することによって、カラー画像
の１コマ分を表示させるために要する期間をいい、同期信号Ｓyncに含まれる垂直走査信
号の周波数が６０Ｈｚであれば、その逆数である１６．７ミリ秒である。垂直走査信号で
規定される垂直走査期間と、液晶表示パネル１００を駆動するためのフレーム期間とは、
期間長でみれば同一ある。ただし、同期信号Ｓsyncに同期して供給される映像データＶd
を、一旦、フレームメモリー３０において記憶した後に読み出すとともに、この読み出し
に合わせて、液晶表示パネル１００等を駆動するので、同一画像についてみれば、フレー
ム期間は、垂直走査期間よりも遅延した関係にある。
このフレーム期間を分割したフィールド期間の各々は、それぞれ走査線が順番に１行目
から４８０行目まで選択される書込期間（垂直有効走査期間）とそれ以外の垂直帰線期間
とに分けられる。また、走査線に供給される走査信号がＨレベルとなる状態を、当該走査
線が選択された、と言う場合がある。
【００１７】
データ線駆動回路１４０は、選択された走査線に対応する画素１１０の各々に対し、フ
レームメモリー３０から読み出された１〜６４０列目の画素の色成分に対応する映像デー
タＶsを、制御回路２０によって指定された書込極性のデータ信号に変換して、１〜６４
０列のデータ線１１４にそれぞれ供給するものである。なお、１、２、３、…、６４０列
目のデータ線１１４に供給されるデータ信号を、図２において、それぞれｄ1、ｄ2、ｄ3
、…、ｄ640と表記している。
【００１８】
書込極性については、データ信号の電圧を、振幅中心である基準電圧に対して高位側と
するときを正極性とし、低位側とするときを負極性とする。また、電圧については、液晶
素子において印加・保持される電圧を除き、図示省略した電源の接地電位を電圧ゼロの基
準とする。このように電圧を規定したときに、上記基準電圧は、例えば７．５ボルトに設
定される。
また、各フィールド期間において画素の書込極性を空間的にどのような配列させるかに
ついては、本実施形態では、同一フィールド期間にわたって全画素に対し同一の書込極性
とする面反転方式とし、書込極性については、フィールド期間毎に反転させる方式とする
。このため、図４に示されるように、奇数フレーム期間において、Ｒフィールド期間にお
いて正極性とすると、Ｇ・Ｂフィールド期間では負・正極性となり、次の偶数フレーム期
間におけるＲ・Ｇ・Ｂフィールド期間では、負・正・負極性となる。このため、液晶素子
は、ＲＧＢのいずれのフィールド期間に着目してみたときに、奇数および偶数フレーム期
間で交流駆動されることになる。
なお、書込極性における空間的な配列は、面反転方式に限られない。また、書込極性の
反転周期については、一定の周期であれば、フィールド期間でなくても良い。
【００１９】
画素１１０について図３を参照して説明する。この図に示されるように、画素１１０に
おいては、スイッチングトランジスターとして機能するｎチャネル型の薄膜トランジスタ
ー（thin film transistor：以下「ＴＦＴ」と略称する）１１６のソース電極がデータ線
１１４に接続されるとともに、ドレイン電極が画素電極１１８に接続される一方、ゲート
電極が走査線１１２に接続されている。
画素電極１１８は、画素毎に設けられるのに対して、コモン電極１０８は、画素電極１
１８のすべてに対向するように全画素に対して共通に設けられる。なお、このコモン電極
１０８には、コモン電極駆動回路５０によって信号ＬＣcomが供給されるのは、上述した
通りである。
コモン電極１０８と画素電極１１８との間に液晶１０５が挟持され、これにより液晶素
子１２０が構成される。このため、画素１１０毎に、画素電極１１８、コモン電極１０８
および液晶１０５からなる液晶素子１２０が設けられることになる。
【００２０】
このような構成の液晶素子１２０は、コモン電極１０８および画素電極１１８の間で電
圧を保持するとともに、透過型であれば、保持した電圧の実効値に応じた透過率となる。
これは、液晶素子１２０において、コモン電極１０８および画素電極１１８の間で電圧に
応じて両電極の間に介在する液晶１０５の配向状態が変化するためである。
【００２１】
次に、液晶表示装置１０の動作について図４を参照して説明する。
奇数フレーム期間における最初のＲフィールド期間では、コモン電極１０８に供給され
る信号ＬＣcomの電圧が７．０ボルトにセットされるとともに、Ｒ書込期間において、液
晶素子１２０に対し、Ｒ成分の階調に応じた正極性電圧のデータ信号が１行毎に書き込ま
れる。
詳細には、制御回路２０は、第１に、Ｒフィールド期間とする際に、コモン電極駆動回
路５０に対し、信号ＬＣcomを７．０ボルトの電圧に切り替えるように指示し、第２に、
Ｒ書込期間において、フレームメモリー３０に記憶された映像データＶdのうち、Ｒ成分
の映像データＶsを、書き込みレート（すなわち、同期信号Ｖsyncにしたがった供給レー
ト）の３倍のレートで読み出し、第３に、走査線駆動回路１３０に対して、フレームメモ
リー３０からの読み出し行に応じて走査信号Ｇ1、Ｇ2、Ｇ3、…、Ｇ480が順番に選択電圧
のＨレベルとなるように制御し、第４に、データ線駆動回路１４０に対し正極性書込を指
定して、読み出したＲ成分の映像データＶsを正極性のデータ信号に変換させるとともに
、当該データ信号を、１、２、３、…、６４０列目のデータ線１１４に供給するように制
御する。
なお、Ｒフィールド期間において信号ＬＣcomを７．０ボルトとする理由については、
ＧおよびＢフィールド期間における信号ＬＣcomの電圧と併せて後述する。
【００２２】
走査線１１２に選択電圧が印加されると、当該走査線における画素１１０のＴＦＴ１１
６がオン状態となる。このため、データ線１１４に供給されたデータ信号は、詳細には、
Ｒ成分の映像データＶsを正極性に変換したデータ信号は、オン状態のＴＦＴ１１６を介
して画素電極１１８に印加される。この動作は、当該走査線における１〜６４０列の液晶
素子１２０にわたって実行され、さらに、１、２、３、…、４８０行目の走査線の順番で
実行される。これにより、Ｒ書込期間では、すべての液晶素子１２０に対し、Ｒ成分の階
調に応じた電圧が印加・保持されて、目的とするＲ成分の階調に応じた透過率となる。
次に、制御回路２０は、光源駆動回路４０に対し、Ｒフィールド期間の垂直帰線期間（
Ｒ発光期間）にわたって、ＬＥＤ１１Ｒだけを発光させるように指示する。このため、Ｌ
ＥＤ１１ＲによるＲの光は、Ｒ成分の階調に応じた透過率となっている液晶素子１２０に
よって変調された後に、拡大投射されるので、Ｒ成分の画像が視認されることになる。
【００２３】
奇数フレーム期間におけるＧフィールド期間では、コモン電極１０８に供給される信号
ＬＣcomが６．９ボルトの電圧に切り替えられるとともに、Ｇ書込期間において、液晶素
子１２０に対し、Ｇ成分の階調に応じた負極性電圧のデータ信号が１行毎に書き込まれる
。これにより、Ｇ書込期間では、すべての液晶素子１２０には、Ｇ成分の階調に応じた電
圧が印加・保持されるので、目的とするＧ成分の階調に応じた透過率となる。制御回路２
０は、光源駆動回路４０に対し、Ｇフィールド期間の垂直帰線期間（Ｇ発光期間）にわた
って、ＬＥＤ１１Ｇだけを発光させるように指示する。これにより、Ｇ成分の画像が視認
されることになる。
【００２４】
奇数フレーム期間におけるＢフィールド期間では、コモン電極１０８に供給される信号
ＬＣcomの電圧が７．１ボルトに切り替えられるとともに、Ｂ書込期間において、液晶素
子１２０に対し、Ｂ成分の階調に応じた正極性電圧のデータ信号が１行毎に書き込まれる
。これにより、Ｂ書込期間では、すべての液晶素子１２０には、Ｂ成分の階調に応じた電
圧が印加・保持されるので、目的とするＢ成分の階調に応じた透過率となる。制御回路２
０は、光源駆動回路４０に対し、Ｂフィールド期間の垂直帰線期間（Ｂ発光期間）にわた
って、ＬＥＤ１１Ｂだけを発光させるように指示し、これにより、Ｂ成分の画像が視認さ
れることになる。
【００２５】
こうして、奇数フレーム期間では、Ｒ、Ｇ、Ｂの各原色画像が順次表示されるため、人
間には、これらの原色画像が重なってフルカラー画像として視覚されることになる。次の
偶数フレーム期間でも、奇数フレーム期間と同様な動作が実行されるが、偶数フレーム期
間におけるＲ・Ｇ・Ｂフィールド期間の書込極性がそれぞれ負・正・負極性に反転する。
このため、各液晶素子１２０は、それぞれ奇数および偶数フレーム期間の２フレーム期間
を１単位としてみたときに交流駆動されることになる。
【００２６】
ここで、本実施形態において、Ｒフィールド期間においてコモン電極１０８に印加され
る７．０ボルトは、次のようにして決められた電圧である。すなわち、３つのフィールド
期間を、すべてＲフィールド期間の条件で駆動するとともに、各帰線期間においてＬＥＤ
１１Ｒだけを点灯させて、Ｒ成分だけの画像を視認させたときに、フリッカーを最小とさ
せる電圧、すなわち、正極性電圧による透過率と負極性電圧による透過率との差が最小と
なるような電圧である。同様に、Ｇ（Ｂ）フィールド期間においてコモン電極１０８に印
加される６．９（７．１）ボルトは、それぞれ３つのフィールド期間を、すべてＧ（Ｂ）
フィールド期間の条件で駆動するとともに、各帰線期間においてＬＥＤ１１Ｇ（１１Ｂ）
だけを点灯させて、Ｇ（Ｂ）成分だけの画像を視認させたときに、フリッカーを最小とさ
せる電圧である。
なお、このようにフリッカーを最小とさせる電圧は、いずれも書込極性の基準電圧であ
る７．５ボルトよりも低位である。これは、ＴＦＴ１１６がｎチャネル型であると、ＴＦ
Ｔ１１６のオン時からオフ直後に変化したときの画素電極１１８の電圧低下は、正極性よ
りも負極性の方が大きいので、これを減殺させるためには、逆に、コモン電極電圧を、基
準電圧の７．５ボルトよりも低位側とする必要があるからである。
基準電圧やコモン電極１０８に印加される電圧は、あくまでも例示であり、液晶表示パ
ネル１００や光源１１などの仕様・条件が異なれば、当然に異なることになる。また、図
４における信号ＬＣcomの電圧を示す縦スケールは、説明理解のため、他の信号と異なら
せてある。
【００２７】
本実施形態によれば、Ｒ、Ｇ、Ｂフィールド期間毎に、各色の光が入射したときにそれ
ぞれフリッカーを最小とさせる最適な電圧がコモン電極１０８に印加されるので、入射す
る光の色（波長）に応じて液晶の配向性が変化したときであっても、当該液晶に直流成分
が印加されるのを回避することが可能となる。
また、本実施形態では、コモン電極１０８の電圧切り替えタイミングを各フィールド期
間の最初、換言すれば、垂直帰線期間の終了時としているので、液晶素子１２０に書き込
まれる電圧に影響を与えないことが可能となる。
【００２８】
なお、画面上方の例えば１行目の液晶素子１２０では、書き込み後にコモン電極１０８
の電圧がほぼそのまま維持されるのに対し、なお、画面下方の例えば４８０行目の液晶素
子１２０では、垂直帰線期間後に、次フィールド期間における最適電圧に切り替わるので
、書き込み後におけるコモン電極１０８の電圧状態が、走査線毎によって異なることには
なる。しかしながら、書き込み後では、ＴＦＴ１１６がオフ状態であり、画素電極１１８
は、電気的にどこにも接続されていない状態にある。このため、書き込み後にコモン電極
１０８の電圧が変化しても、画素電極１１８の電圧は、当該電圧変化と同一方向に同一量
だけ変化するので、液晶素子１２０に保持される電圧実効値に影響を与えることはない。
また、光源１１における発光期間は、垂直帰線期間と一致させていたが、狭めても良い
。発光期間を狭めた場合、コモン電極１０８の電圧切り替えタイミングについては、発光
期間終了後であって書込期間前であれば良い。
【００２９】
上述した実施形態では、用いる原色をＲ・Ｇ・Ｂの３色として、フレーム期間をこれら
の色に対応して３つのフィールド期間に分けたが、原色を４つ以上とし、フレーム期間を
これら用いる原色に対応して４つ以上のフィールド期間に分けても良い。例えばＲ・Ｇ・
Ｂのうち、Ｇを、短波長寄りのＹＧ（黄緑）と、長波長寄りのＥＧ（エメラルドグリーン
）に分けて、これらの４色として、フレーム期間をこれらの色に対応して４つのフィール
ド期間に分けても良い。
原色を４つ以上とする場合、ダイクロイックプリズムが２以上必要となる。上述したＲ
、ＹＧ、ＥＧ、Ｂを用いる場合であれば、例えば図１においてダイクロイックプリズム１
３の９時方向に、別のダイクロックプリズムを配置させて、このうち、２面でＹＧ、ＥＧ
光を入射して、ダイクロイックプリズム１３に導く構成とすれば良い。
さらに、液晶表示パネル１００の透過像を拡大投射する投射型ではなくて、バックライ
トの光源を原色毎に切り替える直視型にも適用可能である。また、画素１１０については
透過型に限られず、反射型であっても良い。
【符号の説明】
【００３０】
１…プロジェクター、１０…液晶表示装置、１１…光源、１１Ｒ、１１Ｇ、１１Ｂ…ＬＥ
Ｄ、２０…制御回路、４０…光源駆動回路、５０…コモン電極駆動回路、１００…液晶表
示パネル、１０５…液晶、１０８…コモン電極、１１６…ＴＦＴ、１１８…画素電極、１
２０…液晶素子、１３０…走査線駆動回路、１４０…データ線駆動回路
【図１】
2010176059.tif 000003
【図２】
2010176059.tif 000004
【図３】
2010176059.tif 000005
【図４】
2010176059.tif 000006